(57)【要約】【課題】従来の技術による諸問題を解決するため、分離型記憶ユニットを有する音声再生装置を提供する。【解決手段】音声再生装置は第一モジュールと第二モジュールを含む。第一モジュールは、第一ハウジングと、第一接続ポートと、音声データを保存する記憶ユニットとを備える。第二モジュールは、第二ハウジングと、音声再生装置の操作を制御するコントローラーと、音声データを保存するフラッシュメモリーと、第一接続ポートと分離できるように接続される第二接続ポートと、ユーザーの入力に応じて信号をコントローラーに送信し、第二モジュールのフラッシュメモリーまたは第一モジュールの記憶ユニットに保存される音声データを選択するためのユーザーインターフェイスと、選択された音声ファイルを音声信号に変換するデコーダーと、変換された音声信号を出力する音声出力ポートとを備える。【選択図】図２
2006252664.tif 000002
【特許請求の範囲】
【請求項１】
分離型記憶ユニットを有する音声再生装置であって、
第一ハウジングと、
第一ハウジングに設けられる第一接続ポートと、
第一ハウジング内に設けられて第一接続ポートにカップリングされ、デジタル音声データを保存する記憶ユニットとを備える第一モジュールと、
第二ハウジングと、
第二ハウジング内に設けられ、音声再生装置の操作を制御するコントローラーと、
第二ハウジング内に設けられてコントローラーにカップリングされ、デジタル音声データを保存するフラッシュメモリーと、
第二ハウジング内に設けられてコントローラーにカップリングされ、第一接続ポートと分離できるように接続される第二接続ポートと、
コントローラーにカップリングされ、ユーザーの入力に応じて信号をコントローラーに送信し、第二モジュールのフラッシュメモリーに保存されるデジタル音声データを選択するか、または第一接続ポートと第二接続ポートを介して第一モジュールの記憶ユニットに保存されるデジタル音声データを選択するためのユーザーインターフェイスと、
ユーザーインターフェイスで選択されたデジタル音声ファイルを音声信号に変換するデコーダーと、
デコーダーに変換された音声信号を出力する音声出力ポートを備える第二モジュールとを含むことを特徴とする音声再生装置。
【請求項２】
前記第一接続ポートと第二接続ポートはＵＳＢ、ＩＥＥＥ１３９４またはＩＤＥインターフェイスであることを特徴とする請求項１記載の音声再生装置。
【請求項３】
前記第一モジュールの記憶ユニットがハードディスクドライブであることを特徴とする請求項１記載の音声再生装置。
【請求項４】
前記第一モジュールの記憶ユニットがＵＳＢインターフェイスを有するハードディスクドライブであることを特徴とする請求項３記載の音声再生装置。
【請求項５】
前記第二モジュールのフラッシュメモリーがＮＡＮＤ型フラッシュメモリーであることを特徴とする請求項１記載の音声再生装置。
【請求項６】
前記第二モジュールのデコーダーがＭＰ３デコーダーであることを特徴とする請求項１記載の音声再生装置。
【請求項７】
前記第二モジュールの音声出力ポートがイヤホンジャックであることを特徴とする請求項１記載の音声再生装置。
【請求項８】
前記第二モジュールは更に、音声再生装置の操作状態を表示する表示装置を含むことを特徴とする請求項１記載の音声再生装置。
【請求項９】
前記第二モジュールは更に、メモリーカードのデータを読み込むメモリーカードスロットを含むことを特徴とする請求項１記載の音声再生装置。
【請求項１０】
前記第二モジュールは更に、ラジオ信号を受信して相応する音声信号を音声出力ポートに出力するラジオレシーバーを含むことを特徴とする請求項１記載の音声再生装置。
【発明の詳細な説明】
【技術分野】
【０００１】
この発明は音声再生装置に関し、特に分離型記憶ユニットを有する音声再生装置に関する。
【背景技術】
【０００２】
デジタル音楽ファイルは小容量であって携帯型不揮発メモリーで保存することが可能であり、ＭＰ３プレイヤーなどの携帯型再生装置の発展に伴って普及している。
【０００３】
ＭＰ３プレイヤーは内蔵の記憶装置により、フラッシュメモリー型とハードディスク（ＨＤＤ）型と大別される。フラッシュメモリー型ＭＰ３プレイヤーは軽量かつ省電力である一方、容量が制限されている。例えば６４ＭＢのフラッシュメモリーは約１時間のＭＰ３ファイルしか記録できず、長距離旅行など長時間使用の場合、容量不足が特に問題となる。一方、ＨＤＤ型ＭＰ３プレイヤーは大容量でありながら、重量と高消費電力以外にも、耐震性の不足も欠点であると指摘されている。このような従来技術の欠点を改善するため、軽量、省電力かつ大容量のＭＰ３プレイヤーの開発は重要な課題とされている。
【発明の開示】
【発明が解決しようとする課題】
【０００４】
この発明は前述の問題を解決するため、分離型記憶ユニットを有する音声再生装置を提供することを課題とする。
【課題を解決するための手段】
【０００５】
この発明は分離型記憶ユニットを有する音声再生装置を提供する。該音声再生装置は第一モジュールと第二モジュールとを含む。第一モジュールは、第一ハウジングと、第一ハウジングに設けられる第一接続ポートと、第一ハウジング内に設けられて第一接続ポートにカップリングされ、デジタル音声データを保存する記憶ユニットとを備える。第二モジュールは、第二ハウジングと、第二ハウジング内に設けられ、音声再生装置の操作を制御するコントローラーと、第二ハウジング内に設けられてコントローラーにカップリングされ、デジタル音声データを保存するフラッシュメモリーと、第二ハウジング内に設けられてコントローラーにカップリングされ、第一接続ポートと分離できるように接続される第二接続ポートと、コントローラーにカップリングされ、ユーザーの入力に応じて信号をコントローラーに送信し、第二モジュールのフラッシュメモリーに保存されるデジタル音声データを選択するか、または第一接続ポートと第二接続ポートを介して第一モジュールの記憶ユニットに保存されるデジタル音声データを選択するためのユーザーインターフェイスと、ユーザーインターフェイスで選択されたデジタル音声ファイルを音声信号に変換するデコーダーと、デコーダーに変換された音声信号を出力する音声出力ポートとを備える。
【発明の効果】
【０００６】
この発明はフラッシュメモリー型とＨＤＤ型ＭＰ３プレイヤーの特長を兼ね備えたものである。大量な音楽を鑑賞する場合は拡充記憶装置に相当する第一モジュールと音声再生装置の本体である第二モジュールを接続し、そうでない場合は第二モジュールを単独に使用することができる。
【発明を実施するための最良の形態】
【０００７】
かかる装置の特徴を詳述するために、具体的な実施例を挙げ、図面を参照して以下説明する。
【０００８】
図１と図２を参照する。図１はこの発明による音声再生装置１０の外観図であり、図２は音声再生装置１０のブロック図である。音声再生装置１０は例えばＭＰ３プレイヤーであり、第一モジュール１２と第二モジュール２０とを備える。そのうち第一モジュール１２は少なくとも第一ハウジング１４と、第一接続ポート１６と、記憶ユニット１８と、電力供給ユニット１９とを含み、第二モジュール２０は少なくとも第二ハウジング２２と、コントローラー２４と、フラッシュメモリー２６と、第二接続ポート２８と、ユーザーインターフェイス３０と、デコーダー３２と、音声出力ポート３４と、表示装置３６と、メモリーカードスロット３８と、ラジオレシーバー４０と、電力供給ユニット４２とを含む。
【０００９】
第一モジュール１２の第一接続ポート１６は第一ハウジング１４内に設けられる。記憶ユニット１８はデジタル音声データを保存するものであり、第一ハウジング１４内に設けられ、第一接続ポート１６とカップリングされる。記憶ユニット１８は例えばＩＤＥまたはＵＳＢインターフェイスを有するＨＤＤである。電力供給ユニット１９は電池など第一モジュール１２に必要な電力を供給する。
【００１０】
コントローラー２４は第二ハウジング内２２に設けられ、音声再生装置１０の操作を制御する。フラッシュメモリー２６はＮＡＮＤ型フラッシュメモリーなどデジタル音声データを保存するものであり、第二ハウジング２２内に設けられてコントローラー２４に接続される。第二接続ポート２８は第二ハウジング２２に設けられ、第一モジュール１２の第一接続ポート１６と接続する。ユーザーインターフェイス３０はコントローラー２４にカップリングされ、ユーザーの入力に応じて信号をコントローラー２４に送信し、第二モジュール２０のフラッシュメモリー２６に保存されるデジタル音声データを選択するか、または第一接続ポート１６と第二接続ポート２８を通して第一モジュール１２の記憶ユニット１８に保存されるデジタル音声データを選択するためのものである。デコーダー３２はユーザーインターフェイス３０で選出されたＭＰ３またはＷＭＡデジタル音声ファイルを音声信号に変換するものである。音声出力ポート３４はデコーダー３２に変換された音声信号を出力して再生中の音声を聞かせるためのイヤホンジャックまたはスピーカーである。表示装置３６は再生中の曲名、ラジオ局、電池残量など音声再生装置１０の操作状態を表示する液晶表示器である。メモリーカードスロット３８は外付けメモリーカードのデータを読み取るものである。ラジオレシーバー４０はＦＭまたはＡＭラジオ局からのラジオ信号を受信して相応する音声信号を音声出力ポート３４に送信する。電力供給ユニット４２は電池または外部電力供給装置からの電力を受けて第一モジュール２０に必要な電力を供給するものである。第一モジュール１２の電力供給ユニット１９は、第二モジュール２０の電力供給ユニット４２からの電力を受けて第一モジュール２１に提供することも可能である。
【００１１】
音声再生装置１０は第一モジュール１２と第二モジュール２０との二部分に分けられる。第一モジュール１２と第二モジュール２０は第一接続ポート１６と第二接続ポート２８でデータを送受信する。第一接続ポート１６と第二接続ポート２８はＵＳＢ１．０、ＵＳＢ２．０、ＵＳＢ  ＯＴＧ、ＩＥＥＥ１３９４またはＩＤＥなどの規格に準拠する。第一モジュール１２の記憶ユニット１８がＩＤＥインターフェイスを有するＨＤＤである場合、データ変換を実行するため第一モジュール１２にＵＳＢ／ＩＤＥ変換器を増設することも可能である。図１において第一接続ポート１６と第二接続ポート２８はそれぞれ雄コネクターと雌コネクターであるが、この発明の範囲はそれに限らない。第一モジュール１２と第二モジュール２０が第一接続ポート１６と第二接続ポート２８によって接続されるとき、ユーザーはユーザーインターフェイス３０で第二モジュール２０のフラッシュメモリー２６に保存されるデジタル音声データを選択するか、または第一接続ポート１６と第二接続ポート２８の接続を通して第一モジュール１２の記憶ユニット１８に保存されるデジタル音声データを選択することができる。こうして音声再生装置１０の容量はフラッシュメモリー２６と記憶ユニット１８の合計容量にまで拡充できる。第一モジュール１２と第二モジュール２０の組み合わせは従来のＨＤＤ型ＭＰ３プレイヤーと類似し、第一モジュール１２は外付けＨＤＤに相当する。実際の使用では、まず第一モジュール１２をコンピューターに接続して、コンピューターからデジタル音楽をその記憶ユニット１８にダウンロードして保存する。保存を完成したら、第一モジュール１２はコンピューターと接続が切断され、第二モジュール２０と接続し始める。第二モジュール２０のコントローラー２４が第一接続ポート１６と第二接続ポート２８の接続を検出したら、第一モジュール１２はスレイブ装置となり、ユーザーは第二モジュール２０のユーザーインターフェイス３０で第一接続ポート１６と第二接続ポート２８を介して第二モジュール２０のフラッシュメモリー２６に保存されるデジタル音声データを選択するか、または第一モジュール１２の記憶ユニット１８に保存されるデジタル音声データを選択する、または第一モジュール１２の記憶ユニット１８に保存されるデジタル音声データをフラッシュメモリー２６にバックアップすることができる。長時間使用の場合、使用者は第一モジュール１２を第二モジュール２０と接続するだけで充足な容量を確保することができる。
【００１２】
第一モジュール１２を第二モジュール２０からはずすと、コントローラー２４は第一接続ポート１６と第二接続ポート２８の接続が切断されたのを検出し、ユーザーはユーザーインターフェイス３０で第二モジュール２０のフラッシュメモリー２６に保存されるデジタル音声データを選択する。この場合、第二モジュール２０は従来のフラッシュメモリー型ＭＰ３プレイヤーに相当する。なお、第二モジュール２０はメモリーカードスロット３８で別添のメモリーカードのデータを読み込むこともできる。音楽再生装置が再生するデータは、第一接続ポート１６と第二接続ポート２８が接続されるとき、第一モジュール１２の記憶ユニット１８からダウンロードされ第二モジュール２０のフラッシュメモリー２６に保存されたデジタル音楽データ、またはメモリーカードスロット３８で読み込まれたメモリーカードのデジタル音楽データである。したがって、大量な音楽データを鑑賞する以外の場合、第二モジュール２０を単独に使用することもできる。
【００１３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１４】
この発明はフラッシュメモリー型とＨＤＤ型ＭＰ３プレイヤーの特長を兼ね備えたものである。大量な音楽を鑑賞する場合は拡充記憶装置に相当する第一モジュールと音声再生装置の本体である第二モジュールを接続し、そうでない場合は第二モジュールを単独に使用することができる。
【図面の簡単な説明】
【００１５】
【図１】この発明による音声再生装置の外観図である。
【図２】この発明による音声再生装置のブロック図である。
【符号の説明】
【００１６】
１０        音声再生装置
１２        第一モジュール
１４        第一ハウジング
１６        第一接続ポート
１８        記憶ユニット
１９        電力供給ユニット
２０        第二モジュール
２２        第二ハウジング
２４        コントローラー
２６        フラッシュメモリー
２８        第二接続ポート
３０        ユーザーインターフェイス
３２        デコーダー
３４        音声出力ポート
３６        表示装置
３８        メモリーカードスロット
４０        ラジオレシーバー
４２        電力供給ユニット
【図１】
2006252664.tif 000003
【図２】
2006252664.tif 000004